(57)【要約】【課題】【解決手段】本発明は，補助メガネ（ｇ）に本体メガネ（Ｇ）を容易に取り付け／取り外すことにより補助メガネ（ｇ）を垂直位置および水平位置に設定できるようにするために，２本のブリッジバー（１，２）からなる構成部品の特別な設計／概念として磁石の機能を併用したものに関する。垂直位置の機能は，補助メガネ（ｇ）が必要な度に用いられる当然のものであり，水平位置の機能は，補助メガネ（ｇ）を頻繁に着用したり取り外したりする場合の実用的な切り替えを可能にするためのものである。【選択図】図１
2005505016.tif 000002
【特許請求の範囲】
【請求項１】
本発明は，本体メガネと補助メガネとから構成され，着脱が容易で，その機械的機能のために，磁力を用いることにより，９０°またはそれに近い角度で正面が開放された複合式メガネ類に関する。
【請求項２】
請求項１において，完全な本体メガネには，アイリムに連結されたブリッジバーが使用され，前記アイリムには，少なくとも２つ以上の磁石が挿入される。補助メガネは，少なくとも４つ以上の磁石が挿入された「Ｌ」字形のブリッジバーで連結された２つのアイリムから構成される。完全な本体フレーム上のブリッジバーは，水平本体面に設けられる一方で，補助メガネ上のブリッジバーは，「Ｌ」字形に設計されているため，垂直本体面および水平本体面の両方に設置され得る。
【請求項３】
本複合式メガネ類の機能には，矯正用メガネとメガネの補助装置として用いられる他のすべての拡大鏡類だけでなく，サングラスとして使用する場合の機能をも含む。本複合式メガネ類の機能は，視野の補助的な拡大を必要とするすべての要求に応えるものである。本複合式メガネ類の意図された用途としては，産業界において頻繁に用いられる産業用保護メガネを含むメガネのすべての側面をカバーしている。したがって，本複合式メガネ類によれば，最大の実用性および本発明の利用の容易性を提供することができる。本発明の方法により設計および取り付けた複合式メガネ類によれば，垂直位置および水平位置の両方で用いられる補助メガネが許容されるため，垂直および水平の両視野の補助器具の使用に際して，本体メガネを補助メガネから完全に分離しなくても，相互切り換えが容易となる。
【発明の詳細な説明】
【技術分野】
【０００１】
本発明は，補助メガネに本体メガネを容易に取り付け／取り外すことにより補助メガネを垂直位置および水平位置に設定できるようにするために，２本のブリッジバーからなる構成部品の特別な設計／概念として磁石の機能を併用したものに関する。垂直位置の機能は，補助メガネが必要な度に用いられる当然のものであり，水平位置の機能は，補助メガネを頻繁に着用したり取り外したりする場合の実用的な切り替えを可能にするためのものである。
【０００２】
前記各構成部品の設計とともに磁力を利用する組み合わせは，本発明に必須の構成要件である。
【背景技術】
【０００３】
一般に，容易な着脱の手段として磁石を用いる補助メガネを有するメガネには２つの類型がある。１つ目の類型は，本体メガネの末端部（アイリムをテンプル側に取り付けられるようにする部分）のような，正面に挿入された一組目の磁石を用いるもので，二組目の磁石は，２つのメガネが対をなすように取り付けることができるように，補助メガネのアイリムの外側エッジに位置した，短く延長されてしなっているアームに挿入される。２つ目の類型は，水平面または垂直面のいずれか一方において，本体メガネのブリッジ部分に挿入された磁石を用い，２番目の磁石は，２つのメガネが対をなすように取り付けることができる補助メガネのブリッジ部分に挿入される。この２つ目の類型によれば，ブリッジ部分において，本体メガネと補助メガネとの容易な取り付け／取り外しが可能となるが，かかる既存の２つの類型では，補助メガネが，単一の方向，すなわち垂直位置（２つのメガネにあるレンズの平行な位置）にしか位置できない。
【０００４】
これらの類型のメガネは，米国および日本を含めた多くの国で市販されており，多くの国際特許出願がＰＣＴ（Ｐａｔｅｎｔ  Ｃｏｏｐｅｒａｔｉｏｎ  Ｔｒｅａｔｙ）を利用してなされている。以下は，補助メガネを用いる従来の様々なメガネの類型に関しての説明である。
【０００５】
（第１の類型）
本類型は，本体メガネの末端部（アイリムがテンプル側に取り付けられるようにする部分）のような正面のエッジ部分で，本体メガネの上端側の位置に挿入された磁石を用い，二組目の磁石は，２つのメガネが対をなすように取り付けることができるように，補助メガネ上のアイリムの外側のエッジに位置した，短く延長されてしなっているアームの末端に挿入される。この類型は，補助メガネ上でブリッジバー組立体を用いるが，このブリッジバー組立体は，逆Ｕ字形に曲がっており，本体メガネのブリッジバーの後ろ側にかけられている。この類型は，本体メガネと補助メガネとの容易な取り付け／取り外しを可能にするが，補助メガネが，単一の位置，すなわち垂直位置（２つのメガネにおけるレンズの平行位置）にしか位置することができない。
【０００６】
（第２の類型）
本類型は，本体メガネの末端部（アイリムがテンプル側に取り付けられるようにする部分）の正面および外側に向いた面のような正面のエッジ部分で，本体メガネに挿入された磁石を用い，二組目の磁石は，補助メガネに挿入され，これらの磁石は，補助メガネのアイリムの外側エッジに位置したログレンズ（ｌｏｇ−ｌｅｎｓ）取付延長部に挿入されて，２つのメガネが対をなすように取り付けることができる。この類型によれば，本体メガネと補助メガネとの取り付け／取り外しが容易となるが，補助メガネが，単一の位置，すなわち垂直位置（２つのメガネにおけるレンズの平行位置）にしか位置することができない。
【０００７】
（第３の類型）
本類型は，ログレンズ取付部の後部に，末端部（アイリムがテンプル側に取り付けられるようにする部分）のような正面のエッジ部分で，本体メガネに挿入された磁石を用い，二組目の磁石は，補助メガネのアイリムの外側エッジに位置した，短く延長されてしなって曲がったフック型アームの先端に挿入されることにより，２つのメガネをドロップフック（ｄｒｏｐ  ｈｏｏｋ）型で対をなして取り付けることができる。この類型により，本体メガネと補助メガネとの取り付け／取り外しが容易となるが，補助メガネが，単一の位置，すなわち垂直位置（２つのメガネにおけるレンズの平行位置）にしか位置することができない。
【０００８】
（第４の類型）
本類型は，本体メガネのテンプル側に挿入された磁石を用い，二組目の磁石は，補助メガネの逆Ｕ字形のハーフボックス形（ｈａｌｆ−ｂｏｘ−ｌｉｋｅ）のフッキング装置（ｈｏｏｋｉｎｇ  ｄｅｖｉｃｅ）を有し，補助メガネのアイリムの外側エッジに位置した，短く延長されてしなっているアームの外側の側端部に挿入され，２つのレンズが対をなすように取り付けることができる。この類型は，２つのメガネの取り付けおよび取り外しが容易なシステムではなく，さらに，補助メガネが，単一の位置，すなわち垂直位置（２つのメガネにおけるレンズの平行位置）にしか位置することができない。
【０００９】
また，磁石を用いずに，本体メガネのアイリムの後方から，補助メガネをフッキングにより取り付けること（ｈｏｏｋｉｎｇ−ａｔｔａｃｈｉｎｇ）により本体メガネの正面に補助メガネを位置させるために，補助メガネの４ヶ所のエッジにフックを使用する補助メガネを用いたメガネがある。この類型では，補助メガネが単一の位置，すなわち垂直位置（２つのメガネにおけるレンズの平行位置）にしか位置することができない。
【００１０】
さらに，磁石を用いずに，２つのアイリムのブリッジバーのいずれか一方，またはそれぞれに位置し得るヒンジ器具を用いることにより，本体メガネに取り付けられる補助メガネを利用したメガネがある。この類型では，補助メガネが，２ヶ所の位置すなわち垂直位置（２つのメガネのレンズの平行な位置設定）および水平位置（９０°）に位置することができるが，この場合には，補助メガネを本体メガネから分離することができず，永久に取り付けられたままとなる。
【発明の開示】
【００１１】
上記既存の複合メガネの場合には，補助メガネを本体メガネと共に使用することができ，容易な取り付けおよび取り外しだけでなく，補助メガネの垂直位置（２つのメガネにおけるレンズの平行位置）および水平位置（正面および視野から遠ざかる方に開放）の両方に位置することができる，完全な包括システム（ｃｏｍｐｌｅｔｅ  ａｎｄ  ｃｏｍｐｒｅｈｅｎｓｉｖｅ  ｓｙｓｔｅｍ）を発明する必要性がある。
【００１２】
本発明は，実用性および機能性を有する補助メガネの自由な利用を可能にする。すなわち，本発明によれば，結合器具（ｂｏｎｄｉｎｇ  ｄｅｖｉｓｅ）として磁石を用いることにより，容易な取り付けおよび取り外しが可能となる。また，本体メガネと補助メガネとの２本のブリッジバーの新規かつ改良された形状を用いることにより，補助メガネを，２ヶ所の必要な位置に位置させることが可能となる。本発明の機能を可能にする構成部品の一つであるＬ字形の形状に関連し，磁力を利用する構成が非常に多いため，このようなシステムを発明とする。
【発明を実施するための最良の形態】
【００１３】
本発明は，本体メガネと，容易に取り付け／取り外し可能であり，その機械的な機能のために正面に対して磁力を利用して９０°の角度または９０°に近い角度で開放される補助メガネと，からなる複合式メガネ類に関する。完全な本体メガネは，メガネのアイリムに連結されて，２つ以上の磁石が挿入されるブリッジバーを利用する。補助メガネは，４つ以上の磁石が挿入されたＬ字型のブリッジバーにより連結された２つのアイリムを備える。これら２本のブリッジバーの設計および取り付けは，完全な本体メガネはもちろん，補助メガネに対しても，本発明の必須構成要素である。完全な本体フレーム上のブリッジバーは，水平の本体メガネ面上に設置される一方で，補助メガネ上のブリッジバーは，Ｌ字型形状のために，垂直および水平の本体面に設置され得る。このような複合式メガネ類の機能は，サングラスを含む複合式オーダーメードメガネ（ｐｒｅｓｃｒｉｐｔｉｏｎ  ｅｙｅｇｌａｓｓｅｓ）だけでなく，メガネに付加物として用いられる，すべての他の拡大部材の利用のためのものである。このような複合式メガネ類の機能は，視野の補助的な拡大を必要とするすべての要求に応えるものである。本複合式メガネ類の意図された用途としては，産業界において頻繁に用いられる産業用保護メガネを含むメガネのすべての側面をカバーしている。したがって，本複合式メガネ類によれば，最大の実用性および本発明の利用の容易性を提供することができる。本発明の方法により設計および取り付けた複合式メガネ類によれば，垂直位置および水平位置の両方で用いられる補助メガネを許容することにより，サングラス／透明ガラスメガネ類が依然として必要となる，または拡大された視野の互いに異なる各レベルの間で相互切り換えの必要性のある，視野の開けた道路とトンネルとが連結されたところを通って運転するときのように，垂直および水平の両視野が必要となる場合の補助器具の使用に際して，本体メガネを補助メガネから完全に分離しなくても，相互切り換えが容易となる。
【００１４】
本発明は，補助メガネが結合されたメガネを提供し，本体メガネの２つのアイリムを取り付けたブリッジバー１を使用し，２つのアイリムを取り付けた２番目のブリッジバー２が補助メガネに用いられる。
【００１５】
ブリッジバー１は，精密で特殊な形状１ａを有し，水平面に位置し，正確な位置１ｈに２つの磁石１ｍが挿入され，これらが，２つのアイリムＥ，ブリッジバーＢの付加物およびテンプルに取り付けられ，本体メガネＧを構成する。
【００１６】
ブリッジバー２は，「Ｌ」字形の精密で特殊な形状２ａ−２ｂを有し，正確な位置２ｈに４つの磁石２ｍ，２ｍが挿入され，これらが，２つのアイリムｅに取り付けられ，補助メガネｇを構成する。
【００１７】
（補助メガネの垂直位置）
ブリッジバー１およびブリッジバー２の特殊な形状により，補助メガネｇのブリッジバー２上の磁石２ｍは，ブリッジバー１上の磁石１ｍと，「Ｌ」字形のブリッジバー２の側面２ａを使用するブリッジバー２上の磁石２ｍとを一致させることにより，垂直位置で本体メガネＧに対しての取り付けおよび取り外しを容易にする。
【００１８】
（補助メガネの水平−開放位置）
ブリッジバー１およびブリッジバー２の特殊な形状により，補助メガネｇのブリッジバー２上の磁石２ｍは，ブリッジバー１上の磁石１ｍと，「Ｌ」字形のブリッジバー２の側面２ａを使用するブリッジバー２上の磁石２ｍとを一致させることにより，水平−開放位置で本体メガネＧに対しての開閉を容易にする。
【産業上の利用可能性】
【００１９】
本発明は，メガネに適用できるように提示されているが，メガネ類のみに組み合わされて使用されることに限定されない。
【００２０】
本発明は，以下の用途のためのものである。すなわち，すべての種類の産業用保護メガネ類，すべての種類のサングラスメガネ類，補助メガネ類が視力を向上させ，増大させるために必要であるとき，一般的な使用または科学的および医学的な使用のための視力を補強するためのものを含むが，これらに限定されず，すべての種類の矯正用メガネ類に適用される。また，本体メガネの補助としてメガネ類を使用するすべての種類の顔面保護メガネ類にも適用される。また，サイズおよび寸法に関わらず，磁石を結合させた本構成要素の概念および設計から利益を得ることができるすべての他の種類の産業的な利用も可能である。
【００２１】
本発明は，磁場と，特定の「Ｌ」字形の設計および概念を利用した２本のブリッジバー１，２の使用との組み合わせに関する。
【００２２】
磁石の代わりに，２本のブリッジバーを製作し，同様の結果を得るために２本のブリッジバーが磁力を帯びるようにする鉄系の合金を使用することは，本発明を侵害することである。
【００２３】
「Ｌ」字形と同じ概念の使用，および同じ結果を得るための磁化の任意の形態の組み合わせにおいて，平坦で真っ直ぐなブリッジバーの使用は，産業上の使用には関係なく，メガネ類産業の内外における侵害としてみなされるであろう。
【図面の簡単な説明】
【００２４】
【図１】補助メガネを本体メガネの垂直位置に取り付けた状態と水平開放位置に取り付けた状態とを示す図である。
【図２】本発明の構成を示す詳細図である。
【図３】本発明の全体図である。
【図４】取り付け時の完全なメガネ類および補助メガネの開放位置での平面図である。
【図５】本発明の構成部品の断面図である。
【図６】本体メガネに取付，取り付けられたときの，補助メガネの２ヶ所の位置（左側の図面は，垂直位置に対する図であり，右側の図面は，水平位置に対する図である。）に関連した磁石の作用および機能を示す図である。
【図７】従来のメガネを示す断面図である。
【図８】従来のメガネを示す他の断面図である。
【図１】
2005505016.tif 000003
【図２】
2005505016.tif 000004
【図３】
2005505016.tif 000005
【図４】
2005505016.tif 000006
【図５】
2005505016.tif 000007
【図６】
2005505016.tif 000008
【図７】
2005505016.tif 000009
【図８】
2005505016.tif 000010
【国際公開パンフレット】
2005505016.tif 000011
2005505016.tif 000012
2005505016.tif 000013
2005505016.tif 000014
2005505016.tif 000015
2005505016.tif 000016
2005505016.tif 000017
2005505016.tif 000018
2005505016.tif 000019
2005505016.tif 000020
2005505016.tif 000021
2005505016.tif 000022
2005505016.tif 000023
2005505016.tif 000024
2005505016.tif 000025
2005505016.tif 000026
2005505016.tif 000027
2005505016.tif 000028
2005505016.tif 000029
【手続補正書】
【提出日】平成15年2月27日(2003.2.27)
【手続補正１】
【補正対象書類名】特許請求の範囲
【補正対象項目名】全文
【補正方法】変更
【補正の内容】
【特許請求の範囲】
【請求項１】
本体メガネおよび補助メガネ器具において：
第１ブリッジバーによって連結された第１の一組のアイリムを有する本体メガネと；
第２ブリッジバーによって連結された第２の一組のアイリムを有する補助メガネと；
を備え，
前記第２ブリッジバーは，Ｌ型の断面を有するので，前記補助メガネが前記本体メガネに対し，垂直視野位置，または選択的に水平開放位置に取り付けられることができ，
前記第２ブリッジバーは，互いに隣接して実質的には垂直になるように配向した第１アームと第２アームとを備え，
前記第１アームは，前記補助メガネが前記本体メガネに対し，前記垂直視野位置に取り付けられるとき，前記第１ブリッジバーの下部に締結される第１磁石を備え，
前記第２アームは，前記補助メガネが前記本体メガネに対し，前記水平開放位置に取り付けられるとき，前記第１ブリッジバーの上面に締結される第２磁石を備えることを特徴とする，本体メガネおよび補助メガネ器具。
【請求項２】
前記第１ブリッジバーは，磁石を含むことを特徴とする，請求項１に記載の本体メガネおよび補助メガネ器具。
【請求項３】
前記第１磁石と前記第２磁石は，互いに独立的に締結され，前記第１磁石のみまたは前記第２磁石のみが，任意の所定時間に，前記第１ブリッジバーの前記磁石と接触していることを特徴とする，請求項２に記載の本体メガネおよび補助メガネ器具。
【請求項４】
前記第１磁石は，互いに間隔をおいて配置され，前記第１ブリッジバーに設置された２つの磁石と同じ位置で合わさる２つの磁石を含むことを特徴とする，請求項３に記載の本体メガネおよび補助メガネ器具。
【請求項５】
前記第２磁石は，互いに間隔をおいて配置され，前記第１ブリッジバーに設置された２つの磁石と同じ位置で合わさる２つの磁石を含むことを特徴とする，請求項４に記載の本体メガネおよび補助メガネ器具。
【請求項６】
前記第２磁石は，互いに間隔をおいて配置され，前記第１ブリッジバーに設置された２つの磁石と同じ位置で合わさる２つの磁石を含むことを特徴とする，請求項３に記載の本体メガネおよび補助メガネ器具。
【請求項７】
前記第２ブリッジバーの前記第１アームは，複数の第１磁石を含み，
前記第２ブリッジバーの前記第２アームは，複数の第２磁石を含み，
前記複数の第１磁石は，前記補助メガネを前記垂直視野位置で前記本体メガネに固定させ，
前記複数の第２磁石は，前記補助メガネを前記水平開放位置で前記本体メガネに固定させることを特徴とする，請求項１に記載の本体メガネおよび補助メガネ器具。
【請求項８】
本体メガネおよび補助メガネ器具において：
第１ブリッジバーによって連結された第１セットのアイリムを有し，前記第１ブリッジバーが内蔵された複数の第１磁石を備え，前記第１ブリッジバーの上面および下面の両方に磁力が生成されるようにする本体メガネと，
第２ブリッジバーによって連結された第２セットのアイリムを有し，前記第２ブリッジバーが第１アームおよび第２アームを有するＬ字型の断面を有する補助メガネを備え，前記第１アームは，前記第１の一組のアイリムおよび前記第２の一組のアイリムが互いに対して略平行になる垂直視野位置に，前記本体メガネの第１ブリッジバーの下面に補助メガネが取り付けられるようにし，選択的に，前記第２アームは，前記第１の一組のアイリムおよび前記第２の一組のアイリムが互いに対して略垂直になる水平開放位置に，前記第１ブリッジバーの上面に補助メガネが取り付けられるようにし，前記第１アームおよび前記第２アームのそれぞれは，前記第１ブリッジバーに設けられた前記複数の第１磁石に締結されるように内蔵された複数の磁石をそれぞれ有し，前記第１アームおよび前記第２アームのうち一つだけが，任意の所定の時間で前記第１ブリッジバーに磁気的に締結されることを特徴とする，本体メガネおよび補助メガネ器具。
【請求項９】
前記第２ブリッジバーは，前記第１アーム上の内側水平面と前記第２アーム上の内側垂直面とを有し，前記内側水平面および内側垂直面は，互いに隣接して略垂直になるように配向し，前記内側水平面は，前記補助メガネが前記垂直視野位置で前記本体メガネに取り付けられるときに，前記第１ブリッジバーの下面に磁気的に締結され，前記内側垂直面は，前記補助メガネが前記水平開放位置に取り付けられるときに，前記第１ブリッジバーの上面に磁気的に締結されることを特徴とする，請求項８に記載の本体メガネおよび補助メガネ器具。
【請求項１０】
前記複数の第１磁石は，互いに一定の間隔離隔され，前記第１アームに位置した２つの磁石と整列される２つの磁石を含むことを特徴とする，請求項８に記載の本体メガネおよび補助メガネ器具。
【請求項１１】
前記複数の第１磁石は，互いに一定の間隔離隔され，前記第２アームに位置した２つの磁石と整列される２つの磁石を含むことを特徴とする，請求項８に記載の本体メガネおよび補助メガネ器具。
【手続補正２】
【補正対象書類名】明細書
【補正対象項目名】全文
【補正方法】変更
【補正の内容】
【発明の詳細な説明】
【技術分野】
【０００１】
本発明は，メガネ分野に係り，より具体的には，磁石を用いた補助メガネを備えた本体メガネの容易な組み立ておよび取り外しのためのメガネの設計に関する。
【背景技術】
【０００２】
一般に，容易な取り付け／取り外しの手段として磁石を用いる補助メガネを有するメガネには２つの類型がある。その１つ目の類型は，図１および図２に示すように，例えば，メガネのテンプル（ｔｅｍｐｌｅ）とアイリム（ｅｙｅｒｉｍ）とが接する部分のような，正面から本体メガネに挿入された一組の磁石を用い，２番目の一組の磁石は，図３に示すように，本体メガネと補助メガネとが対をなすように組み立てることが可能なように，補助メガネのアイリムの外側のエッジ部分に位置した，短く延長されてしなっているアーム延長部（ａｒｍ  ｅｘｔｅｎｓｉｏｎ）に挿入される。
【０００３】
その２つ目の類型は，水平面または垂直面で本体メガネのブリッジ部分（ｂｒｉｄｇｅ  ｐａｒｔ）に挿入された磁石を用い，他の磁石が本体メガネと補助メガネとが対をなすように組み立てることが可能なように，補助メガネのブリッジ部分に挿入される。この２番目の類型によって，ブリッジ部分において本体メガネと補助メガネとの二組のメガネの容易な組み立て／取り外しが可能となるが，かかる既存の２つの類型は，補助メガネが一つの方向，すなわち垂直な位置にしか設定できないので，本体メガネのレンズと補助メガネのレンズとが互いに平行な位置にしか設定できない。
【０００４】
磁石を用いずに，本体メガネのアイリムに補助メガネを引っかけたり取り付けることにより，本体メガネの正面に補助メガネの位置を設定するように，補助メガネの４ヶ所のエッジ部分にフックを使用する補助メガネを用いるメガネもある。磁石を備える場合には，補助メガネは一つの位置，すなわち垂直にのみ配向可能となり，補助メガネのレンズと本体メガネのレンズとは，平行な位置に設定される。
【０００５】
最後に，磁石を用いずに，２つのアイリムのそれぞれに，またはブリッジバー（ｂｒｉｄｇｅ  ｂａｒ）に位置し得るヒンジ（ｈｉｎｇｅ）器具を用いる本体メガネに取り付けられる補助メガネがある。かかる類型は，２ヶ所の位置，すなわち，本体メガネのレンズと補助メガネのレンズとが平行な位置に設定される垂直位置と，補助レンズが本体レンズに対して９０°に配向した水平位置としての補助メガネの位置設定が可能である。しかし，補助メガネは，本体メガネから分離されず，永久に取り付けられたままとなる。
【０００６】
したがって，補助メガネを垂直位置および水平位置の両方に設定可能であり，補助メガネが本体メガネに容易に取り付けられ，容易に取り外すことができるような完全で包括的なメガネ器具の存在が必要とされる。
【発明の開示】
【０００７】
上述したように，本発明の目的は，サングラスを備えたオーダーメードメガネ類（ｐｒｅｓｃｒｉｐｔｉｏｎ  ｅｙｅｗｅａｒ）またはメガネを備えた拡大鏡などのような複合式の多重メガネ類の要求の困難さを克服することにある。
【０００８】
本発明の他の目的は，容易な組み立てと取り外しとを可能とする本体メガネおよび補助メガネ器具を提供することにある。
【０００９】
本発明の更に他の目的は，補助メガネの当然の使用法として視力矯正用のための垂直の補助メガネ位置と，補助レンズを使用しない場合に実用的な位置変更を可能とする水平位置との双方の位置に設定することができる本体メガネおよび補助メガネ器具を提供することにある。
【００１０】
本発明の更に他の目的は，特殊な器具形状と組み合わせて，磁力を利用する本体メガネおよび補助メガネ器具を提供することにある。
【００１１】
これらの目的およびその他の目的によれば，本発明は，補助メガネと本体メガネとの容易な組み立ておよび取り外しのための２本のブリッジバーを有する本体メガネおよび補助メガネ器具に関する。本体メガネに設けられた第１ブリッジバーには，補助メガネに設けられた第２ブリッジバーの対応する磁石と相互作用する磁石が設けられている。第２ブリッジバーは，Ｌ字型の形状を有していて，補助メガネを２箇所の必要な位置に設定することを可能とし，これは，該Ｌ字型の第２ブリッジバーのアームが第１ブリッジバーの磁石と位置が合うことに依存する。
【００１２】
以下に，より十分に開示および請求されているような他の目的および利点と共にこれらの目的は，以後の構成および作用の詳細な説明において，明白となるであろう。また，参照番号は，本発明の部品を表すための参照符号として用い，同じ参照番号は，全体を通じて同じ部品を示すものとする。
【発明を実施するための最良の形態】
【００１３】
本発明の好ましい一実施例が詳細に説明されているが，該実施例は例として示したものであることを理解できるであろう。本発明は，以下の詳細な説明や図面に示す構成の詳細および構成部品の配置の範囲に限定されるものではない。また，好ましい実施例を説明するに際し，特定の用語は明確性のために再分類されるであろう。それぞれの特定の用語は，類似した目的を達成するために類似した方式で動作するすべての技術的に等価な物を含むことを理解しなければならない。
【００１４】
図４Ａおよび図４Ｂに示すように，本発明は，参照符号１００によって全体として表示された複合式メガネ類器具に関するものである。複合式メガネ類器具１００は，参照符号１０によって全体として表示された本体メガネを含み，参照符号２０によって全体として表示された補助メガネを含む。本体メガネは，２つのアイリムＥおよび鼻パッド部Ｂを含む。第１ブリッジバー１は，２つのアイリムＥを結合させる。補助メガネも，第２ブリッジバー２によって結合された２つのアイリムＥを含む。補助メガネは，本体メガネに対し，図４Ａに示すように，垂直位置に連結されるか，または，図４Ｂに示すように，水平位置に連結され得る。水平位置は，本体メガネのアイリムＥに対して略９０°の角度で正面に対して開放された位置である。
【００１５】
図５に詳細に示すように，第１ブリッジバー１は，上面１４と下面１２とを有する。これらの間を通過する開口部１６内に磁石１８が挿入される。磁石１８の断面は，上面および下面で実質的に同じ高さを有し，ブリッジバーの上面１４および下面１２の上に磁石面を生成する。図５には，２つの磁石が用いられる場合が示されているが，任意の数の磁石が採択され得る。
【００１６】
図６には，補助メガネ２０の第２ブリッジバー２が示されている。図６に拡大されているように，第２ブリッジバー２はＬ字型であり，互いに対して略垂直である第１アーム２２と第２アーム２４とを有する。これらの第１アーム２２および第２アーム２４は，それぞれ開口部２６，２６’を有し，これらの開口部に挿入できるようになっている。磁石２８，２８’は，第１ブリッジバー１の場合と同様に，開口部２６，２６’にそれぞれ挿入される。補助メガネのアイリムは，第２アーム２４に対して略平行であり，第１アーム２２に対して略垂直である。図６においては，それぞれのアームには２つの磁石が示されているが，異なる個数の磁石を用いても良い。
【００１７】
図７Ａは，磁石１８を有する第１ブリッジバー１を示す本体メガネ１０の上面図である。図７Ｂは，第２ブリッジバー２を有する対応する補助メガネ２０の上面図である。上方から見ると，第１アーム２２は，アイリムに対して垂直であって本体メガネの方に延長され，垂直視野位置にあるとき，補助メガネを本体メガネに結合するために用いられる。結果としての本体メガネと補助メガネとの組み立て体１００の正面の様子が図８に示されている。正面から見ると，第２アーム２４は，アイリムに対して略垂直であって，図８に示すように，補助メガネが垂直視野位置に設けられたとき，上方に延長されている。
【００１８】
図９には，図８から分かるようにように，補助メガネを本体メガネに垂直視野位置に結合させる機能が示されている。補助メガネが移動して本体メガネと接触するようになると，図７Ｂに示すように，第１アーム２２の目に見える上面が，第１ブリッジバー１の下面１２に締結され，磁石２８と磁石１８との間の磁力によってその位置に維持される。
【００１９】
図１０には，水平開放位置における補助メガネを有する本体メガネおよび補助メガネ器具１００の上面が示されている。図１１の詳細図Ｂに示すように，水平開放位置７で第２アーム２４の磁石２８’が補助メガネを本体メガネの磁石１８に固定するのに用いられる。ユーザが補助メガネの位置を切り換えようとするとき，アイリムｅに対して下方に押すだけで磁石２８’が分離し，Ｌ字型ブリッジバー２を略９０°に回転させて磁石２８を磁石１８に接触させるようにする。これは，図１１の詳細図Ａに示すものと同様である。これに対して，補助レンズは，上方に押し上げられて磁石２８から分離され，Ｌ字型ブリッジバー２を逆方向に略９０°に回転させて再び磁石２８’を磁石１８に接触するようにし，補助メガネを水平開放位置に固定させる。図１０に示すように，開放位置にあるとき，アーム２４は上方から見える。
【００２０】
選択的な他の実施例として，鉄製合金を磁石１８，２８，２８’の代替用として用いても良い。より詳しく説明すれば，第１ブリッジバー１および／または第２ブリッジバー２は鉄製合金で製作可能であり，磁化させることにより同じ結果を奏することができる。
【００２１】
本発明の複合式メガネ類は，サングラスを備えたオーダーメードメガネを組み合わせるか，メガネなどに拡大鏡を取り付けるのに利用されても良く，視力の付加的な向上が必要なすべての要求に応えるためのものである。意図された用途は，すべてのメガネ類だけでなく，産業現場で頻繁に用いられる産業用保護メガネを含むので，最大の実用性および容易性を提供する。本発明は，補助メガネが垂直位置および水平位置の両方に利用され得る設計および組み立てにより，本体メガネを補助メガネの形成から完全に分離せず，２つの視力補助器具の利用に切り換えることを容易とする。これが非常に役に立つ状況は，一連の視界の開けた道路およびトンネルを運転するようなときであって，この間は視界の光調節の要求が激しく変化する場合である。また，相違するレベルの視力の向上が選択的に要求されるときである。
【００２２】
上述した説明および図面は，本発明の原理を例としてのみ考慮されなければならない。本発明は，様々な形態およびサイズで構成することができ，好ましい実施例の寸法に限定されない。特に，本発明は，Ｌ字型ブリッジバーの同じ概念を含むように意図されたものであり，任意の形態の磁化に関連し，平らで直線であるブリッジバーの同じ概念を含むように意図され，本明細書に開示されたものと同じ結果を得ることができる。本発明の数多くの応用は，当業者に対しては容易であるであろう。例えば，本発明は，産業用の保護メガネおよび／またはサングラスメガネ類のすべての特徴に連関された必要性を充足するように利用されることができ，オーダーメードおよび拡大的な応用までも含む。本体メガネの補助としてメガネ類を使用する顔面保護用メガネ類も含む。したがって，開示された特定の例に本発明を限定するものではなく，図示され，開示された厳密な構成および動作に限定されるものではない。更に，すべての適切な変更および等価物が，本発明の範囲内に属するように分類されても良い。
【図面の簡単な説明】
【００２３】
【図１】従来技術による補助レンズ器具を備えた第１の本体メガネを示す上面図である。
【図２】従来技術による補助レンズ器具を備えた第２の本体メガネを示す上面図である。
【図３】従来技術による補助レンズ器具を備えた第３の本体メガネを示す上面図である。
【図４Ａ】垂直視野位置における補助レンズを有する，本発明の本体メガネおよび補助メガネ器具を示す斜視図である。
【図４Ｂ】水平開放位置における補助レンズを有する，本発明の本体メガネおよび補助メガネ器具を示す斜視図である。
【図５】ブリッジバーおよび磁石構造体の詳細図であって，本発明の本体メガネを示す斜視図である。
【図６】Ｌ字型ブリッジバーおよび磁石構造体の詳細図であって，本発明の補助メガネを示す斜視図である。
【図７Ａ】本発明の本体メガネを示す上面図である。
【図７Ｂ】本発明の補助メガネを示す上面図である。
【図８】垂直視野位置に設けられた補助メガネを有する本発明の本体メガネおよび補助メガネ器具を示す正面図である。
【図９】図８の垂直視野位置における第１ブリッジバーと第２ブリッジバーとを組み合わせた状態を示す，ブリッジバーおよび磁石構造体の断面図である。
【図１０】水平開放位置における補助メガネを用いて組み立てた時の本発明の本体メガネおよび補助メガネを示す上面図である。
【図１１】補助メガネの垂直視野位置Ａおよび水平開放位置Ｂに関連した磁石の作用および機能を示す詳細図であって，組み立て時の本発明の本体メガネおよび補助メガネ器具を示す側断面図である。


【手続補正３】
【補正対象書類名】図面
【補正対象項目名】全図
【補正方法】変更
【補正の内容】
【図１】
2005505016.tif 000030
【図２】
2005505016.tif 000031
【図３】
2005505016.tif 000032
【図４Ａ】
2005505016.tif 000033
【図４Ｂ】
2005505016.tif 000034
【図５】
2005505016.tif 000035
【図６】
2005505016.tif 000036
【図７Ａ】
2005505016.tif 000037
【図７Ｂ】
2005505016.tif 000038
【図８】
2005505016.tif 000039
【図９】
2005505016.tif 000040
【図１０】
2005505016.tif 000041
【図１１】
2005505016.tif 000042
【国際調査報告】
2005505016.tif 000043
2005505016.tif 000044
2005505016.tif 000045